(57)【特許請求の範囲】
【請求項１】
放送信号を受信する放送受信部と、
ネットワーク経由で情報を送受信するネットワーク通信部と、
前記放送受信部で受信した情報をコピーする第１のプレーン及び前記ネットワーク通信部で受信した情報をコピーする第２のプレーンを含むビデオ・メモリーと、
前記放送受信部又は前記ネットワーク通信部で受信したデータ放送アプリケーションを実行して、前記ビデオ・メモリー内の前記第１のプレーン及び第２のプレーンを含む複数のプレーンを合成処理して、合成処理した結果のプレーンを表示部上に表示するための出力信号を生成する制御部を具備し、
放送コンテンツと関連する複数のネットワーク・コンテンツの各所在場所を指定するデータ放送アプリケーションを前記放送受信部又は前記ネットワーク通信部で受信したときに、
前記制御部は、前記放送受信部で受信した前記放送コンテンツを前記第１のプレーンにコピーするとともに、
前記データ放送アプリケーションを実行して実現する処理として、前記複数のネットワーク・コンテンツの中から前記放送コンテンツと同時再生したいものを選択するためのユーザー・インターフェースを前記第２のプレーンにコピーし、前記放送コンテンツの表示の上に前記ユーザー・インターフェースを重畳して表示するために前記第１のプレーンと前記第２のプレーンを合成し、前記ユーザー・インターフェースを介して選択されたネットワーク・コンテンツを前記データ放送アプリケーションで指定された前記所在場所から前記ネットワーク通信部で受信して前記第２のプレーンにコピーし、前記放送コンテンツの表示の上に前記ネットワーク・コンテンツを重畳して表示するために前記第１のプレーンと前記第２のプレーンを合成する、
受信装置。
【請求項２】
前記ビデオ・メモリー内では、後方から前方に向かって前記第１のプレーン、前記第２のプレーンの順序で配置され、さらに前記第２のプレーンの前方に他の複数のプレーンが所定の順序で配置されており、
前記制御部は、前記データ放送アプリケーションを実行して実現する処理として、前記の配置された順序に従って各プレーンの合成処理を行なう、
請求項１に記載の受信装置。
【請求項３】
前記制御部は、前記第１のプレーンにコピーする放送コンテンツよりも低解像度で、前記ネットワーク通信部で受信したネットワーク・コンテンツの前記第２のプレーンへのコピーを行なう、
請求項１に記載の受信装置。
【請求項４】
前記放送コンテンツと関連する複数のネットワーク・コンテンツはストリーミング動画であり、
前記ユーザー・インターフェースは、前記複数のストリーミング動画の各々の動画サムネイルからなる選択ボタンを配置したメニューである、
請求項１に記載の受信装置。
【請求項５】
前記ユーザー・インターフェースは、前記放送コンテンツと関連する複数のネットワークの各所在場所へのリンクを含んだ選択ボタンを配置したメニューであり、
前記制御部は、いずれかの選択ボタンが選択されたことに応答して、選択ボタンに含まれるリンクに従って前記ネットワーク通信部で受信するネットワーク・コンテンツを前記第２のプレーンにコピーし、前記第１のプレーンと前記第２のプレーンを合成して、前記放送コンテンツと前記ネットワーク・コンテンツを同時再生させる、
請求項１に記載の受信装置。
【請求項６】
放送信号として受信した情報をビデオ・メモリー内の第１のプレーンにコピーする第１のコピー・ステップと、
ネットワーク経由で受信した情報を前記ビデオ・メモリー内の第２のプレーンにコピーする第２のコピー・ステップと、
前記ビデオ・メモリー内の前記第１のプレーン及び第２のプレーンを含む複数のプレーンを合成処理する合成ステップと、
前記合成ステップで生成された合成プレーンを表示出力する出力ステップと、
を有し、
放送コンテンツと関連する複数のネットワーク・コンテンツの各所在場所を指定するデータ放送アプリケーションを放送局又はネットワーク経由で受信したときに、
前記第１のコピー・ステップでは、前記放送局から受信した前記放送コンテンツを前記第１のプレーンにコピーし、
前記第２のコピー・ステップでは、前記データ放送アプリケーションを実行して実現する処理として、前記複数のネットワーク・コンテンツの中から前記放送コンテンツと同時再生したいものを選択するためのユーザー・インターフェースを前記第２のプレーンにコピーするとともに、前記ユーザー・インターフェースを介した選択に応答して前記データ放送アプリケーションで指定された前記所在場所からネットワーク経由で受信したネットワーク・コンテンツを前記第２のプレーンにコピーする、
表示制御方法。
【請求項７】
放送コンテンツとデータ放送の組み合わせからなるデータ放送サービスを提供する放送局と、
ネットワーク・コンテンツを提供するサーバーと、
放送局から配信される放送信号を受信するとともに、ネットワーク経由で情報を送受信するハイブリッド端末からなり、
前記ハイブリッド端末は、放送信号として受信した情報をコピーする第１のプレーン及び前記サーバーから受信した情報をコピーする第２のプレーンを含むビデオ・メモリーと、前記ビデオ・メモリー内の情報を表示部上に表示するための出力信号を生成する制御部を備え、放送コンテンツと関連する複数のネットワーク・コンテンツの各所在場所を指定するデータ放送アプリケーションを前記放送局又は前記サーバーから受信したときに、前記放送局から受信した前記放送コンテンツを前記第１のプレーンにコピーし、前記データ放送アプリケーションを実行して実現する処理として、前記複数のネットワーク・コンテンツの中から前記放送コンテンツと同時再生したいものを選択するためのユーザー・インターフェースを前記第２のプレーンにコピーし、前記放送コンテンツの表示の上に前記ユーザー・インターフェースを重畳して表示するために前記第１のプレーンと前記第２のプレーンを合成し、前記ユーザー・インターフェースを介して選択されたネットワーク・コンテンツを前記データ放送アプリケーションで指定された前記所在場所からネットワーク経由で受信して前記第２のプレーンにコピーし、前記放送コンテンツの表示の上に前記ネットワーク・コンテンツを重畳して表示するために前記第１のプレーンと前記第２のプレーンを合成する、
放送システム。
【発明の詳細な説明】
【技術分野】
【０００１】
本明細書で開示する技術は、放送信号を受信して放送コンテンツを表示する受信装置、表示制御方法、放送システム、並びにコンピューター・プログラムに係り、特に、放送信号から得た放送コンテンツとネットワーク経由で取得したネットワーク・コンテンツを複合して同期再生する受信装置、表示制御方法、放送システム、並びにコンピューター・プログラムに関する。
【背景技術】
【０００２】
現在、世界の各国において、地上波、衛星波、ケーブルなどの放送システムにおいて、ディジタル化への移行が進められている。ディジタル信号はアナログ信号よりも安定性に優れ、データ圧縮率も高いことから、ディジタル放送によれば、一定の帯域でアナログ信号よりも多くのチャンネルを確保することができる。また、ディジタル放送では、併せてデータ放送を送信することで、他のサービスと組み合わせたハイブリッドな放送サービスを実現することができる。
【０００３】
例えば、日本国内で２０００年に開始されたＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ）方式のディジタル放送は、データ放送も特徴の１つであり、各放送事業者などから、放送番組本体を構成する映像と音声のデータ（ＡＶデータ）の他に、放送番組に付随するディジタル伝送データ（以下、「データ放送用データ」とも呼ぶ）が並行して配信されている。より具体的には、ＭＰＥＧ（Ｍｏｖｉｎｇ  Ｐｉｃｔｕｒｅ  Ｅｘｐｅｒｔ  Ｇｒｏｕｐ）２など所定の圧縮方式で圧縮されたＡＶデータと、ＢＭＬ（Ｂｒｏａｄｃａｓｔ  Ｍａｒｋｕｐ  Ｌａｎｇｕａｇｅ）などの符号化方式によるデータ放送用データとを多重化して構成されたトランスポート・ストリームの形式で、放送信号が配信される。ＢＭＬは、ＸＭＬ（ｅＸｔｅｎｓｉｂｌｅ  Ｍａｒｋｕｐ  Ｌａｎｇｕａｇｅ）を基に策定され、マルチメディア・データの配置位置の指定機能や、Ｊａｖａ（登録商標）スクリプトの標準規格であるＥＣＭＡスクリプトによるスクリプト実行機能、ＤＯＭ（Ｄｏｃｕｍｅｎｔ  Ｏｂｊｅｃｔ  Ｍｏｄｅｌ）によるＸＭＬの操作機能などを備えている。
【０００４】
ＴＶにおけるデータ放送は、例えば、テレビジョン番組（以下、「放送コンテンツ」とも呼ぶ）を視聴しているユーザーが、リモコンに設けられたｄ（データ連動）ボタンを操作することに対応して表示される。具体的には、ＴＶの画面の状態が放送コンテンツ全画面表示であるときにｄボタンが操作されると、ＢＭＬ形式で記述されたデータ放送用データを解するデータ放送用ブラウザーが起動して、画面の状態がデータ放送表示に遷移する。
【０００５】
データ放送用データは、例えば、静止画、動画、音声、図形・文字などのメディア・データと、これらのデータを統合して表現形式や動作を制御するデータ放送アプリケーションなどからなる。ユーザー（ディジタル放送の視聴者）は、例えばリモコンのカーソル・キー、決定キー、色ボタン、数字ボタンなどを用いて、データ放送表示画面上で各メディア・データの動作を指示することができる。放送事業者などは、データ放送アプリケーションにより、放送番組本体に関連したデータ放送サービスを実現することができる。
【０００６】
データ放送アプリケーションに例えばＪａｖａ（登録商標）技術を適用することができる。この場合、データ放送アプリケーションは、Ｊａｖａ（登録商標）仮想マシン上で動作するバイトコードであるクラス・ファイルからなる。受信機（例えば、テレビ受像機）内のＪａｖａ（登録商標）仮想マシンは、受信したクラス・ファイルを実行することによって、視聴者にデータ放送サービスが提供される。１つのＪａｖａ（登録商標）データ放送サービスを実行するために必要なクラス・ファイルは複数あり、そのすべてが揃うまではＪａｖａ（登録商標）データ放送サービスを実行することができない。また、あるＪａｖａ（登録商標）データ放送サービスを一度実行すると、そのとき利用したクラス・ファイルを受信機内に蓄積しておき、以降同様のＪａｖａ（登録商標）データ放送サービスでも利用することが可能である。例えば、ユーザーが指定した放送サービスを実行するために必須の必須プログラム・ファイルのうち不足しているものを、選択した取得経路を介して取得するプログラム・ファイル取得装置について提案がなされている（例えば、特許文献１を参照のこと）。
【０００７】
他方、通信ネットワークのブロードバンド化により、動画などの大容量データをインターネット経由で伝送することが可能となってきている。例えば、インターネットを介して、映画などのコンテンツ（以下、「ネットワーク・コンテンツ」とも呼ぶ）をダウンロードして蓄積し、任意のタイミングで再生できる情報処理装置（例えば、特許文献２を参照のこと）や、さらには放送コンテンツの表示状態と、ネットワーク・コンテンツの表示状態とをシームレスに遷移する受信装置（例えば、特許文献３を参照のこと）について提案がなされている。
【０００８】
後者の受信装置によれば、データ放送表示と擬似データ放送表示の両方を表示可能な（すなわち、ＢＭＬ及びＨＴＭＬを解することができる）共用ブラウザーを事前に起動し、これを表示又は非表示のいずれかに制御するようにすることで、放送コンテンツ・モードにおけるデータ放送表示と、ネットワーク・コンテンツ・モードにおける擬似データ放送表示間を相互にシームレスに直接遷移することができる。
【０００９】
しかしながら、この受信装置は、放送コンテンツとネットワーク・コンテンツの統合処理を行なうといっても、ＨＴＭＬを解することよってネットワーク・コンテンツの表示を行なうことは旧来と変わるものでない。すなわち、この受信装置は、ＢＭＬを解すること、すなわちデータ放送サービスとしてネットワーク・コンテンツの表示を行なうものではない。言い換えれば、放送事業者などは、放送コンテンツとネットワーク・コンテンツとを複合させたハイブリッドな放送サービスを、データ放送によって提供することはできない。
【先行技術文献】
【特許文献】
【００１０】
【特許文献１】特開２０１０−１６６３３９号公報
【特許文献２】特開２００８−１０９６０６号公報
【特許文献３】特開２００９−２９６１２６号公報
【発明の概要】
【発明が解決しようとする課題】
【００１１】
本明細書で開示する技術の目的は、放送信号から得た放送コンテンツとネットワーク経由で取得したネットワーク・コンテンツを複合して好適に同期再生することができる、優れた受信装置、表示制御方法、放送システム、並びにコンピューター・プログラムを提供することにある。
【００１２】
本明細書で開示する技術のさらなる目的は、データ放送サービスにより放送コンテンツとネットワーク・コンテンツを複合して好適に同期再生することができる、優れた受信装置、表示制御方法、放送システム、並びにコンピューター・プログラムを提供することにある。
【課題を解決するための手段】
【００１３】
本願は、上記課題を参酌してなされたものであり、請求項１に記載の技術は、
放送信号を受信する放送受信部と、
ネットワーク経由で情報を送受信するネットワーク通信部と、
前記放送受信部で受信した情報をコピーする第１のプレーン及び前記ネットワーク通信部で受信した情報をコピーする第２のプレーンを含むビデオ・メモリーと、
前記ビデオ・メモリー内の情報を表示する表示部と、
前記ビデオ・メモリー内の各プレーンにコピーされた情報の前記表示部への表示出力を制御する制御部を具備し、
前記制御部は、前記放送受信部又は前記ネットワーク通信部で受信したデータ放送アプリケーションを実行して、前記ビデオ・メモリー内の前記第１のプレーン及び第２のプレーンを含む複数のプレーンを合成処理して前記表示部に表示させる、
受信装置である。
【００１４】
本願の請求項２に記載の技術によれば、請求項１に記載の受信装置の前記ビデオ・メモリー内では、後方から前方に向かって前記第１のプレーン、前記第２のプレーンの順序で配置され、さらに前記第２のプレーンの前方に他の複数のプレーンが所定の順序で配置されている。そして、前記制御部は、前記データ放送アプリケーションを実行して実現する処理として、前記の配置された順序に従って各プレーンの合成処理を行なうように構成されている。
【００１５】
本願の請求項３に記載の技術によれば、請求項２に記載の受信装置の前記制御部は、前記データ放送アプリケーションを実行して実現する処理として、前記放送受信部で受信した放送コンテンツを前記第１のプレーンにコピーするとともに、前記ネットワーク通信部で受信したネットワーク・コンテンツを前記放送コンテンツと同時再生することを指示するためのユーザー・インターフェースを前記第２のプレーンにコピーし、前記第１のプレーンと前記第２のプレーンを合成して、前記放送コンテンツに前記ユーザー・インターフェースを重畳したプレーンを生成するように構成されている。
【００１６】
本願の請求項４に記載の技術によれば、請求項３に記載の受信装置において、前記放送コンテンツと同時再生するネットワーク・コンテンツはストリーミング動画である。また、前記ユーザー・インターフェースは、同時再生することが可能な複数のストリーミング動画の各々の動画サムネイルからなる選択ボタンを配置したメニューである。
【００１７】
本願の請求項５に記載の技術によれば、請求項３に記載の受信装置において、前記放送コンテンツと同時再生することが可能なネットワーク・コンテンツは、前記データ放送アプリケーションで所在場所が指定されており、また、前記ユーザー・インターフェースは、同時再生することが可能な各ネットワークの所在場所へのリンクを含んだ選択ボタンを配置したメニューである。そして、前記制御部は、いずれかの選択ボタンが選択されたことに応答して、選択ボタンに含まれるリンクに従って前記ネットワーク通信部で受信するネットワーク・コンテンツを前記第２のプレーンにコピーし、前記第１のプレーンと前記第２のプレーンを合成して、前記放送コンテンツと前記ネットワーク・コンテンツを同時再生させるように構成されている。
【００１８】
また、本願の請求項６に記載の技術は、
コンピューターがデータ放送アプリケーションを実行して具現化される第１のコピー手段が、放送信号として受信した情報をビデオ・メモリー内の第１のプレーンにコピーする第１のコピー・ステップと、
前記コンピューターが前記データ放送アプリケーションを実行して具現化される第２のコピー手段が、ネットワーク経由で受信した情報を前記ビデオ・メモリー内の第２のプレーンにコピーする第２のコピー・ステップと、
前記コンピューターが前記データ放送アプリケーションを実行して具現化される合成手段が、前記ビデオ・メモリー内の前記第１のプレーン及び第２のプレーンを含む複数のプレーンを合成処理する合成ステップと、
前記コンピューターが前記データ放送アプリケーションを実行して具現化される表示手段が、前記合成ステップで生成された合成プレーンを表示出力する出力ステップと、
を有する表示制御方法である。
【００１９】
また、本願の請求項７に記載の技術は、
放送コンテンツとデータ放送の組み合わせからなるデータ放送サービスを提供する放送局と、
ネットワーク・コンテンツを提供するサーバーと、
放送局から配信される放送信号を受信するとともに、ネットワーク経由で情報を送受信するハイブリッド端末からなり、
前記ハイブリッド端末は、放送信号として受信した情報をコピーする第１のプレーン及び前記サーバーから受信した情報をコピーする第２のプレーンを含むビデオ・メモリーと、前記ビデオ・メモリー内の情報を表示する表示部を備え、前記放送局又は前記サーバーから受信したデータ放送アプリケーションを実行して、前記ビデオ・メモリー内の前記第１のプレーン及び第２のプレーンを含む複数のプレーンを合成処理して前記表示部に表示させる、
放送システムである。
【００２０】
但し、ここで言う「システム」とは、複数の装置（又は特定の機能を実現する機能モジュール）が論理的に集合した物のことを言い、各装置や機能モジュールが単一の筐体内にあるか否かは特に問わない。
【００２１】
また、本願の請求項８に記載の技術は、
放送信号として受信した情報をビデオ・メモリー内の第１のプレーンにコピーする第１のコピー手段、
ネットワーク経由で受信した情報を前記ビデオ・メモリー内の第２のプレーンにコピーする第２のコピー手段、
前記ビデオ・メモリー内の前記第１のプレーン及び第２のプレーンを含む複数のプレーンを合成処理する合成手段、
前記合成手段により生成された合成プレーンを表示出力する出力手段、
としてコンピューターを機能させるようにコンピューター可読形式で記述されたコンピューター・プログラムである。
【００２２】
本願の請求項８に係るコンピューター・プログラムは、コンピューター上で所定の処理を実現するようにコンピューター可読形式で記述されたコンピューター・プログラムを定義したものである。換言すれば、本願の請求項８に係るコンピューター・プログラムをコンピューターにインストールすることによって、コンピューター上では協働的作用が発揮され、本願の請求項１に係る受信装置と同様の作用効果を得ることができる。
【発明の効果】
【００２３】
本明細書で開示する技術によれば、放送信号から得た放送コンテンツとネットワーク経由で取得したネットワーク・コンテンツを複合して好適に同期再生することができる、優れた受信装置、表示制御方法、放送システム、並びにコンピューター・プログラムを提供することができる。
【００２４】
また、本明細書で開示する技術によれば、データ放送サービスにより放送コンテンツとネットワーク・コンテンツを複合して好適に同期再生することができる、優れた受信装置、表示制御方法、放送システム、並びにコンピューター・プログラムを提供することができる。
【００２５】
本明細書で開示する技術のさらに他の目的、特徴や利点は、後述する実施形態や添付する図面に基づくより詳細な説明によって明らかになるであろう。
【図面の簡単な説明】
【００２６】
【図１】図１は、放送とネットワークを融合させたハイブリッド放送システム１００の基本構成を模式的に示した図である。
【図２】図２は、ハイブリッド端末１０３の内部構成例を示した図である。
【図３】図３は、ビデオ・メモリー２１３上で構成されるグラフィック・プレーンのモデルを示した図である。
【図４】図４は、動画プレーン同士を合成する基本処理を説明するための図である。
【図５】図５は、合成動画プレーンＣＶＰ上にさらに静止画プレーンを合成する基本処理を説明するための図である。
【図６】図６は、動画プレーン同士を合成する代替処理を説明するための図である。
【図７】図７は、合成動画プレーンＣＶＰ上にさらに静止画プレーンを合成する代替処理を説明するための図である。
【図８】図８は、３次元信号からなる動画プレーンを合成する処理を説明するための図である。
【図９】図９は、適用する動画・静止画切替プレーンＣＰを変更したことにより動画・静止画の合成プレーンＳＶＰが変わる例を示した図である。
【図１０Ａ】図１０Ａは、モザイク形式のメニューの構成方法を説明するための図である。
【図１０Ｂ】図１０Ｂは、モザイク形式のメニューの構成方法を説明するための図である。
【図１０Ｃ】図１０Ｃは、モザイク形式のメニューの構成方法を説明するための図である。
【図１１】図１１は、モザイク形式のメニュー領域の配置場所のバリエーションを示した図である。
【図１２】図１２は、モザイク形式のメニュー領域内でのメニュー選択操作によって、ストリーミング動画の再生を開始する様子を示した図である。
【図１３Ａ】図１３Ａは、再サイズ化されたストリーミング動画ｃａを放送コンテンツの全画面動画ｃｂ上に重畳する位置をデータ放送アプリケーションにより設定する方法を説明するための図である。
【図１３Ｂ】図１３Ｂは、再サイズ化されたストリーミング動画ｃａを放送コンテンツの全画面動画ｃｂ上に重畳する位置をデータ放送アプリケーションにより設定する方法を説明するための図である。
【図１４】図１４は、動画プレーン＃１と動画プレーン＃２の配置順序の入れ替えを行なう様子を示した図である。
【図１５】図１５は、ハイブリッド端末１０３の表示部２２０における画面遷移を示した図である。
【図１６】図１６は、データ放送アプリケーションの起動状態「Ｖｉｄｅｏ，ｒｕｎｎｉｎｇ  ａｐｐ  ｓｅｒｖｉｃｅ」における画面遷移をより詳細に示した図である。
【図１７】図１７は、プロセッサー２１１がデータ放送アプリケーションを実行することにより実現される各機能ブロックを示した図である。
【発明を実施するための形態】
【００２７】
以下、図面を参照しながら本明細書で開示する技術の実施形態について詳細に説明する。
【００２８】
図１には、放送とネットワークを融合させたハイブリッド放送システム１００の基本構成を模式的に示している。
【００２９】
地球のはるか上空では、放送衛星１０１が周回している。放送コンテンツを配信する放送事業者や、データ放送アプリケーションを提供するアプリケーション・プロバイダーは、放送局１０２などのアップリンクから、放送番組本体となるＡＶコンテンツと、データ放送用データを、放送衛星１０１に送信する。放送衛星１０１は、受信したＡＶコンテンツ及びデータ放送用データを、地上に散在する受信局に向けて再送信する。
【００３０】
但し、放送衛星１０１を用いた衛星波ではなく、放送衛星１０１を用いることなく地上波でＡＶコンテンツ及びデータ放送用データの配信を行なうようにしてもよい。また、受信局は、例えば各一般家庭内に設置されているテレビ受像機などの受信端末１０３である。受信端末１０３は、バックチャネルとして、インターネット１０４などのブロードバンド・ネットワークにも接続され、動画ストリーミングなどネットワーク・コンテンツを取得することもできる。放送コンテンツ及びネットワーク・コンテンツの双方を扱うことができる受信端末１０３のことを、以下では「ハイブリッド端末」とも呼ぶ。
【００３１】
また、放送事業者やアプリケーション・プロバイダーは、ＡＶコンテンツやデータ放送用データを、インターネット１０４などのブロードバンド・ネットワーク上に構築されたウェブ・サーバー１０５にアップロードすることもある。このような場合、ハイブリッド端末１０３は、ＡＶコンテンツ並びにデータ放送用データを、放送波ではなく、インターネット１０４などのバックチャネル経由で取得（ダウンロード）することもできる。
【００３２】
放送事業者やアプリケーション・プロバイダーは、例えば、放送コンテンツと関連するＡＶコンテンツをウェブ・サーバー１０５にアップロードしておくとともに、ウェブ・サーバー１０５内のＡＶコンテンツの所在を指すＵＲＬ（Ｕｎｉｆｏｒｍ  Ｒｅｓｏｕｒｃｅ  Ｌｏｃａｔｏｒ）リンクを含んだデータ放送アプリケーションを放送信号又はインターネット１０４経由で配信する。これによって、放送事業者やアプリケーション・プロバイダーは、放送番組のデータ放送サービスを利用するユーザーが番組視聴に付随してアクセスするストリーミング動画を制御することができる。
【００３３】
図２には、ハイブリッド端末１０３の内部構成例を示している。ハイブリッド端末１０３は、従来のテレビ受像機と同様に地上波ディジタル放送や衛星ディジタル放送を受信するとともに、インターネット１０４上の所定のサーバー１０５からネットワーク・コンテンツをダウンロードすることができる。
【００３４】
ハイブリッド端末１０３は、放送コンテンツを処理するための系として、チューナー２０１と、復調器２０２と、デマルチプレクサー（ＤＥＭＵＸ）２０３と、ブロードキャスト・デコーダー２０４を備えている。
【００３５】
チューナー２０１は、アンテナやＣＡＴＶケーブルなどを介して入力される放送信号から選局に対応する周波数成分を抽出し、復調器２０２は、抽出された放送信号を復調処理する。
【００３６】
デマルチプレクサー２０３は、選局に対応する放送信号の周波数成分から、ＭＰＥＧ２トランスポート・ストリームなどの符号化されたＡＶデータと、データ放送用データの信号を分離する。
【００３７】
ブロードキャスト・デコーダー２０４は、ＨＥ−ＡＡＣやＨ．２６４などの方式で符号化されたＡＶデータをデコードして、音声信号と映像信号を再生する。再生された音声信号及び映像信号、並びに、デマルチプレクサー２０３で分離されたＰＳＩ（Ｐｒｏｇｒａｍ  Ｓｐｅｃｉｆｉｃ  Ｉｎｆｏｒｍａｔｉｏｎ）、ＡＩＴ（Ａｐｐｌｉｃａｔｉｏｎ  Ｉｎｆｏｒｍａｔｉｏｎ  Ｔａｂｌｅ）を含むデータ放送用データは、ＡＶ出力制御部２１０に供給される。
【００３８】
また、ハイブリッド端末１０３は、ネットワーク・コンテンツを処理するための系として、データ通信部２０５と、ブロードバンド・デコーダー２０６を備えている。
【００３９】
データ通信部２０５は、イーサネット（登録商標）・インターフェースなどで構成され、インターネット１０４などを介して所定のサーバー１０５に接続して、ネットワーク・コンテンツをダウンロードして、ＡＶ出力制御部２１０に供給する。ダウンロードしたネットワーク・コンテンツには、データ放送用データ並びにＡＶストリーミング・コンテンツが含まれている。
【００４０】
ネットワーク経由で受信するＡＶストリーミング・データは、例えばＡＳＦ、ＭＯＶ、ＭＰ４などの形式である。ブロードバンド・デコーダー２０６は、ＩＰオーディオ・デコーダー及びＩＰビデオ・デコーダーを備え、この種のＡＶストリーミング・データをデコードして、音声信号と映像信号を再生する。
【００４１】
また、データ放送用データには、ＪＰＥＧやＰＮＧ形式の静止画データやテキスト・データなどの各種メディア・データと、ＢＭＬ若しくはＸＭＬ形式で記述されたデータ放送アプリケーションが含まれる。データ放送アプリケーションに例えばＪａｖａ（登録商標）技術を適用することができるが、本明細書で開示する技術の要旨はこれに限定されるものではない。ＡＶ出力制御部２１０は、データ放送アプリケーションを解して、放送コンテンツやＡＶストリーミング・データなどの表示部２２への画面表示の形態を制御する。
【００４２】
ＡＶ出力制御部２１０は、プロセッサー２１１と、システム・メモリー２１２と、ビデオ・メモリー２１３を備えている。
【００４３】
ビデオ・メモリー２１３には、ブロードキャスト・デコーダー２０４によって再生された映像信号をコピーする動画プレーン＃１や、インターネット１０４経由でダウンロードしたＡＶストリーミング・データをコピーする動画プレーン＃２、データ放送用データに含まれる静止画、図形・文字などをコピーする各グラフィック・プレーン、並びに、ビデオ・バッファーが含まれる（後述）。
【００４４】
プロセッサー２１１は、システム・メモリー２１２にロードしたデータ放送アプリケーションを実行して、ビデオ・メモリー２１３内の上記の各プレーン・メモリーにコピーされたグラフィック・プレーンから、表示部２２０で表示する画面を組み立てる。図１７には、プロセッサー２１１がデータ放送アプリケーションを実行することにより実現される各機能ブロックを示している。例えば、データ放送アプリケーションにＪａｖａ（登録商標）技術が適用される場合には、各機能ブロックはクラス・ファイルに相当する。機能ブロックの詳細については後述に譲る。
【００４５】
図３には、ビデオ・メモリー２１３上で構成されるグラフィック・プレーンのモデルを示している。図示の例では、後方（Ｂａｃｋｗａｒｄ）から前方（Ｆｏｒｗａｒｄ）に向かう順番で、動画プレーン＃１（Ｐｒｉｍａｒｙ  Ｖｉｄｅｏ  Ｐｌａｎｅ）、動画プレーン＃２（Ｓｅｃｏｎｄａｒｙ  Ｖｉｄｅｏ  Ｐｌａｎｅ）、静止画プレーン（Ｓｔｉｌｌ−Ｐｉｃｔｕｒｅ  Ｐｌａｎｅ）、動画・静止画切替プレーン（Ｓｗｉｔｃｈｉｎｇ  Ｐｌａｎｅ）、図形・文字プレーン（Ｇｒａｐｈｉｃｓ  Ｐｌａｎｅ）、字幕プレーン（Ｓｕｂｔｉｔｌｅ  Ｐｌａｎｅ）の各プレーンが配置されている。
【００４６】
上述したように、動画プレーン＃１には受信放送の動画（ブロードキャスト・デコーダー２０４によって再生された映像信号）がコピーされ、動画プレーン＃２にはインターネット１０４経由でダウンロードしたストリーミング動画がコピーされる。動画プレーン＃１にコピーされる画像は、表示部２２０の表示画面全体の解像度（例えば、１９２０×１０８０画素）を持つ。一方、動画プレーン＃２にコピーされる画像は、表示画面全体よりも低解像度（例えば、５２８×３８４画素（ＤＣＩＦ））をデフォルトの解像度とする。インターネット１０４経由でダウンロードしたストリーミング動画を動画プレーン＃２にコピーする際、必要に応じて再サイズ化する。
【００４７】
また、データ放送用データに含まれる静止画、動画・静止画切替、図形・文字、字幕は、それぞれ静止画プレーン、動画・静止画切替プレーン・図形・文字プレーン、字幕プレーンにコピーされる。
【００４８】
プロセッサー２１１は、例えばデータ放送用アプリケーションを実行して、各プレーンを上記の順番で重畳して、画面を組み立てる処理を実現する。組み立てられた最終的なプレーンは、バック・バッファー（Ｂａｃｋ  Ｂｕｆｆｅｒ）に保持される。そして、表示部２２０に画面表示される画面はプライマリー・バッファー（Ｐｒｉｍａｒｙ  Ｂｕｆｆｅｒ）に保持される。
【００４９】
本実施形態では、プロセッサー２１１がデータ放送アプリケーションを実行することにより、上記の各プレーンの合成処理を行ない、表示部２２０で出力する画面の表示形態を制御するようになっている。以下では、データ放送アプリケーションによって実現される表示形態について説明する。
【００５０】
図４には、動画プレーン同士を合成する基本処理を図解している。図示の例では、受信放送の動画（ｂｒｏａｄｃａｓｔ  ｖｉｄｅｏ）が全解像度で動画プレーン＃１にコピーされる。これに対し、インターネット１０４経由で受信したストリーミング動画（ｂｒｏａｄｂａｎｄ  ｖｉｄｅｏ）は、低解像度（ＤＣＩＦ）に再サイズ化してから、動画プレーン＃２にコピーされる（前述）。重畳部は、動画プレーン＃１にコピーされた動画ｃｂ上に動画プレーン＃２にコピーされた動画ｃａを、例えばＰｏｒｔｅｒ−Ｄｕｆｆルールに従って重畳して、合成動画プレーン（Ｃｏｍｐｏｓｉｔｅ  Ｖｉｄｅｏ  Ｐｌａｎｅ：ＣＶＰ）が生成される。合成動画プレーンは、動画ｃｂ内に動画ｃａが埋め込まれた、ピクチャー・イン・ピクチャー（Ｐｉｃｔｕｒｅ  ｉｎ  Ｐｉｃｔｕｒｅ：ＰｉＰ）画像である。
【００５１】
下式（１）には、重畳部で適用するプレーンの合成ルールを示している。前方の動画プレーン＃２のアルファ・ブレンド値αaとして１が設定された、１００％不透明な画素位置では、動画プレーン＃２上にコピーされた動画ｃａが合成動画プレーンＣＶＰとなる。また、動画プレーン＃２のアルファ・ブレンド値αaとして０が設定された、１００％透明な画素位置では、動画プレーン＃１上にコピーされた動画ｃｂが合成動画プレーンＣＶＰとなる。基本的には、動画プレーン＃２にコピーされた動画サイズ内の画素位置のアルファ・ブレンド値αaを１とし、その外の画素位置のアルファ・ブレンド値αaを０とする。したがって、動画プレーン＃２にコピーされた動画サイズ内の合成動画プレーンＣＶＰの画素はｃａ、その外の合成動画プレーンＣＶＰの画像ｃｂとなる。
【００５２】
【数１】
0006307182.tif 000002
【００５３】
図５には、合成動画プレーンＣＶＰ上にさらに静止画プレーンＳＰを合成する基本処理を図解している。合成動画プレーンＣＶＰを生成する仕組みは上述と同様である。
【００５４】
動画・静止画切替プレーンＣＰは、静止画プレーンＳＰをマスクする１ビットのマスクであり、画素値ＣＰで静止画プレーンＳＰをマスクする画素位置を指定している。下式（２）に示すように、静止画プレーンＳＰをマスクする画素位置ではＣＰを０とし、静止画プレーンＳＰをマスクしない画素位置ではＣＰを１にする。
【００５５】
【数２】
0006307182.tif 000003
【００５６】
動画・静止画合成部は、画素値ＣＰに基づいて静止画プレーンＳＰの各画素をマスクし、合成動画プレーンＣＶＰにマスクした後の静止画プレーンを例えばＰｏｒｔｅｒ−Ｄｕｆｆルールに従って重畳し、動画・静止画の合成プレーン（Ｃｏｍｐｏｓｉｔｉｏｎ  ｏｆ  Ｖｉｄｅｏ  ａｎｄ  Ｓｔｉｌｌ−Ｐｉｃｔｕｒｅ  Ｐｌａｎｅ：ＳＶＰ）を生成する。図５に示す例では、すべての画素位置で画素値ＣＰが０（黒）であり、静止画プレーンの全画素がマスクされるので、合成動画プレーンＣＶＰがそのまま動画・静止画の合成プレーンＳＶＰとして出力される。下式（３）には、動画・静止画合成部で適用する合成ルールを示している。ＣＰが１すなわちマスクされない画素位置では、合成プレーンＳＶＰは静止画プレーンＳＰの画素となる。また、ＣＰが０すなわちマスクされる画素位置では、前方の静止画プレーンＳＰがマスクされる結果として、合成プレーンＳＶＰはその後方の合成動画プレーンＣＶＰの画素となる。
【００５７】
【数３】
0006307182.tif 000004
【００５８】
また、図６には、動画プレーン同士を合成する代替処理を図解している。図示の例では、受信放送の動画（ｂｒｏａｄｃａｓｔ  ｖｉｄｅｏ）、及び、インターネット１０４経由で受信したストリーミング動画（ｂｒｏａｄｂａｎｄ  ｖｉｄｅｏ）はいずれも、画面全体よりも低解像度でそれぞれ動画プレーン＃１、動画プレーン＃２にコピーされている。重畳部は、動画プレーン＃１にコピーされた低解像度動画ｃｂ上に、動画プレーン＃２にコピーされた低解像度の動画ｃａを、例えばＰｏｒｔｅｒ−Ｄｕｆｆルールに従って重畳して、合成動画プレーンＣＶＰが生成される。
【００５９】
また、図７には、合成動画プレーンＣＶＰ上にさらに静止画プレーンＳＰを合成する代替処理を図解している。図６に示したように、それぞれ低解像度に再サイズ化された２つの動画ｃｂ及びｃａから合成動画プレーンＣＶＰが生成される。また、動画・静止画切替プレーンＣＰは、低解像度に再サイズ化した動画ｃａ及びｃｂの表示領域のみ、静止画プレーンＳＰをマスクしている。したがって、画素値ＣＰに基づいて静止画プレーンＳＰの各画素をマスクすると、低解像度化した動画ｃａ及びｃｂの表示領域が透明になるので、合成動画プレーンＣＶＰにマスクした後の静止画プレーンを例えばＰｏｒｔｅｒ−Ｄｕｆｆルールに従って重畳すると、図示のように、静止画プレーンＳＰのマスクされた枠から各動画ｃａ及びｃｂが表示される動画・静止画の合成プレーンＳＶＰが得られる。
【００６０】
また、図８には、３次元信号からなる動画プレーンを合成する処理を図解している。受信放送の動画（ｂｒｏａｄｃａｓｔ  ｖｉｄｅｏ）、並びに、インターネット１０４経由で受信したストリーミング動画（ｂｒｏａｄｂａｎｄ  ｖｉｄｅｏ）のうちいずれも３次元信号である可能性がある。但し、本実施形態に係るハイブリッド端末１０３は、ハードウェア上の制約から、一方の動画プレーンが３次元信号のときには、他方の動画プレーンの表示を停止するようになっている。図示の例では、インターネット１０４経由で受信したストリーミング動画すなわち動画プレーン＃２にコピーされる動画ｃａがサイド・バイ・サイド形式の３次元信号であり、動画プレーン＃１にコピーされる動画ｃｂの表示は停止される。したがって、合成動画プレーンＣＶＰは動画プレーン＃２上の３次元動画のままとなる。また、静止画プレーンＳＰ及び動画・静止画切替プレーンＣＰはともにディセーブルされ、両プレーンの全画素が黒色に設定される。したがって、全解像度の３次元動画がＳＶＰとして表示されることになる。
【００６１】
図９には、同じ合成動画プレーン及び静止画プレーンに対し、適用する動画・静止画切替プレーンＣＰを変更したことにより動画・静止画の合成プレーンＳＶＰが変わる例をいくつか示している。同図（ａ）では、一部の領域がマスクされない動画・静止画切替プレーンＣＰが使用されている。したがって、図示のように、動画・静止画切替プレーンでマスクされた領域では合成動画プレーンＣＶＰが背景として表示され、マスクされない領域では静止画プレーンが最前面で表示された動画・静止画合成プレーンＳＶＰとなる。また、同図（ｂ）では、すべての領域をマスクする動画・静止画切替プレーン（すなわち、全画素が黒色のプレーン）ＣＰが使用されている。したがって、図示のように、前面の静止画プレーンがすべてマスクされ、後方の合成動画プレーンＣＶＰのみが表示された動画・静止画合成プレーンＳＶＰとなる。他方、同図（ｃ）では、すべての領域をマスクしない動画・静止画切替プレーン（すなわち、全画素が白色のプレーン）ＣＰが使用されている。したがって、図示のように前面の静止画プレーンのみが表示され、後方の合成動画プレーンＣＶＰが完全に覆い隠された動画・静止画合成プレーンＳＶＰとなる。
【００６２】
特許文献３に記載の技術では、ネットワーク・コンテンツのポータル画面を表示するためのＨＴＭＬ（Ｈｙｐｅｒ  Ｔｅｘｔ  Ｍａｒｋｕｐ  Ｌａｎｇｕａｇｅ）を解するネットワーク用ブラウザーが起動して、ネットワーク・コンテンツの再生指示を入力するポータル画面が表示される。すなわち、特許文献３に記載の技術では、データ放送用ブラウザーとは独立した処理によりポータル画面の表示が行なわれるので、言い換えれば、放送コンテンツとネットワーク・コンテンツが融合することはない。
【００６３】
これに対し、本明細書で開示する技術では、放送コンテンツ用の動画プレーン＃１と、ストリーミング動画などのネットワーク・コンテンツ用の動画プレーン＃２を含む、所定の配置順からなる複数のプレーンを有し（図３を参照のこと）、データ放送アプリケーションを用いて上記したようなプレーン同士の合成処理を行なうことができる。本実施形態では、当該技術を利用して、ネットワーク・コンテンツの再生指示を入力する画面を、放送コンテンツと融合した形態で提供するようにしている。
【００６４】
図１０Ａには、ネットワーク・コンテンツの再生指示を入力する画面の一例として、モザイク形式のメニューの構成方法を図解している。
【００６５】
動画プレーン＃１には、受信した放送コンテンツの動画がコピーされる。一方、図形・文字プレーンには、画面の一部のユーザー・インターフェース領域にのみ、放送コンテンツとストリーミング動画の同時再生を指示するためのユーザー・インターフェースがコピーされる。このユーザー・インターフェースは、選択可能な複数のネットワーク・コンテンツの選択ボタンＭＮＧ１、ＭＮＧ２、…が配列されたモザイク形式のメニューである。選択可能なネットワーク・コンテンツは、基本的には、インターネット１０４上のコンテンツ・サーバーなどから提供されるストリーミング動画である。
【００６６】
各選択ボタンＭＮＧ１、ＭＮＧ２、…は、該当するストリーミング動画の動画サムネイルである。動画サムネイルは、例えばＰＮＧ（Ｐｏｒｔａｂｌｅ  Ｎｅｔｗｏｒｋ  Ｇｒａｐｈｉｃｓ）イメージの集合からなるＭＮＧ（Ｍｕｌｔｉｐｌｅ−ｉｍａｇｅ  Ｎｅｔｗｏｒｋ  Ｇｒａｐｈｉｃｓ）ファイルで構成される。但し、選択ボタンは、動画である必要はなく、該当するストリーミング動画を象徴するような静止画であってもよい。データ放送アプリケーションは、さらに、複数のセルからなるグリッド（図１０Ｂを参照のこと）を、上記の図形・文字プレーンにコピーする。グリッド内の各セルは、コンテンツ・サーバー上の該当するストリーミング動画の所在を示すＵＲＬリンクを持っている。なお、ネットワーク上のストリーミング動画であるとは限らず、例えばハイブリッド端末１０３のローカル・コンテンツであってもよく、この場合もセルがコンテンツの所在をＵＲＬ形式で持っていればよい。そして、データ放送アプリケーションは、図３に示した配置順序に従ってすべてのプレーンを組み合わせて、ユーザー・インターフェースを備えたプレーンを得る。
【００６７】
モザイク形式のメニューの他の構成方法として、データ放送アプリケーションにより、動画プレーン＃２の表示領域をユーザー・インターフェース領域に限定し、そこにモザイク形式の各メニューを１つのストリーミング動画として組み合わせて、合成動画プレーンＣＶＰを生成するようにしてもよい（図１０Ｃを参照のこと）。
【００６８】
この場合、データ放送アプリケーションは、さらに、複数のセルからなるグリッド（図１０Ｂを参照のこと）を上記の合成動画プレーンＣＶＰに付加する。グリッドの位置は、動画プレーン＃２の限定された表示領域、すなわちモザイク形式のメニュー領域と一致し、各セルは動画サムネイルからなる各選択ボタンと一致する。例えば、データ放送アプリケーションは、図形・文字プレーンにグリッドをコピーすることで、合成動画プレーンＣＶＰにこのようなグリッドを付加することができる。また、グリッド内の各セルは、コンテンツ・サーバー上の該当するストリーミング動画の所在を示すＵＲＬリンクを持っている。なお、ネットワーク上のストリーミング動画であるとは限らず、例えばハイブリッド端末１０３のローカル・コンテンツであってもよく、この場合もセルがコンテンツの所在をＵＲＬ形式で持っていればよい。
【００６９】
放送事業者やアプリケーション・プロバイダーは、例えば、放送コンテンツと関連するＡＶコンテンツをサーバー１０５にアップロードしておくとともに、ウェブ・サーバー１０５内のＡＶコンテンツの所在を指すＵＲＬリンクを含んだデータ放送アプリケーションを放送信号又はインターネット１０４経由で配信する。すると、モザイク形式のメニューの各選択ボタンは、放送事業者やアプリケーション・プロバイダーが仕込んだＡＶコンテンツへのＵＲＬリンクを含むことになる。したがって、放送事業者やアプリケーション・プロバイダーは、放送番組のデータ放送サービスを利用するユーザーが番組視聴と同時再生するストリーミング動画を何にすべきかをコントロールすることができる。
【００７０】
図１１には、モザイク形式のメニュー領域の配置場所のバリエーションを示している。図１０では、プレーンの底部側縁（Ｂｏｔｔｏｍ  ｓｉｄｅ）に沿って水平方向にセルを並べたグリッドからなるモザイク形式のメニュー領域を示した。その他、図１１にも示すように、プレーンの左側縁（Ｌｅｆｔ  ｓｉｄｅ）に沿って垂直方向にセルを並べたグリッドからなるモザイク形式のメニュー領域、プレーンの右側縁（Ｒｉｇｈｔ  ｓｉｄｅ）に沿って垂直方向にセルを並べたグリッドからなるモザイク形式のメニュー領域、プレーンの上部側縁（Ｔｏｐ  ｓｉｄｅ）に沿って水平方向にセルを並べたグリッドからなるモザイク形式のメニュー領域を挙げることができる。
【００７１】
また、図１２には、モザイク形式のメニュー領域内でのメニュー選択操作によって、ストリーミング動画の再生を開始する様子を示している。
【００７２】
上述したように、モザイク形式のメニュー領域に重畳されたグリッド内の各セルは、コンテンツ・サーバー上の該当するストリーミング動画の所在を示すＵＲＬリンクを持っている。ハイブリッド端末１０３のユーザーは、例えばリモコン（図示しない）のカーソル・ボタンを用いてグリッド内でカーソルを移動させ、所望の動画サムネイルのセルに合わせることができる。図１２左では、カーソルが合わせられたセルを太線の枠で示している。
【００７３】
そして、ユーザーがリモコンの決定キーを押下するなどして、グリッド内のいずれか１つのセルを選択すると、データ放送アプリケーションは、選択したセルが持つＵＲＬリンクを用いて、関連するストリーミング動画の表示、すなわち放送コンテンツとの同時再生を開始する。
【００７４】
上述したように、データ放送アプリケーションは、受信した放送コンテンツの映像を動画プレーン＃１にコピーするとともに、インターネット１０４からダウンロードしたストリーミング動画を画面よりも低解像度に再サイズ化して動画プレーン＃２にコピーする。そして、動画プレーン＃１と動画プレーン＃２を例えばＰｏｒｔｅｒ−Ｄｕｆｆルールに従って重畳して（図４を参照のこと）、図１２右に示すような合成動画プレーンＣＶＰが表示される。
【００７５】
インターネット１０４からダウンロードしたストリーミング動画ｃａを合成動画プレーンＣＶＰ上で表示する位置（ｘ，ｙ）、すなわち、再サイズ化されたストリーミング動画ｃａを放送コンテンツの全画面動画ｃｂ上に重畳する位置を、データ放送アプリケーションで設定することができる。
【００７６】
データ放送アプリケーションがストリーミング動画ｃａの表示位置（ｘ，ｙ）を明示的に設定しない場合には、図１３Ａに示すように、デフォルトの表示位置ｄｅｆａｕｌｔ（ｘ，ｙ）でストリーミング動画ｃａが表示される。
【００７７】
ユーザーは、例えばリモコンのカーソル・ボタンを用いて、ストリーミング動画ｃａの新しい表示位置ｎｅｗ（ｘ，ｙ）を指示することができる。データ放送アプリケーションがこの新しい表示位置ｎｅｗ（ｘ，ｙ）を設定すると、図１３Ｂに示すように、新しい表示位置ｎｅｗ（ｘ，ｙ）でストリーミング動画ｃａが表示される。
【００７８】
また、データ放送アプリケーションは、動画プレーンを配置する順序の入れ替えを行なうこともできる。ユーザーは、例えばリモコンの緑ボタンを操作することで、動画プレーンの配置順序の入れ替えを指示する。図１４には、動画プレーン＃１と動画プレーン＃２の配置順序の入れ替えを行なう様子を示している。配置順序の入れ替えの際、動画プレーン＃２上のストリーミング動画を全解像度にするとともに、動画プレーン＃１上の受信放送の動画を再サイズ化する。そして、動画プレーン＃２にコピーされたストリーミング動画ｃｂ上に、動画プレーン＃１にコピーされた受信放送の動画ｃａを重畳して、合成動画プレーンＣＶＰが生成される。
【００７９】
図１５には、ハイブリッド端末１０３の表示部２２０における画面遷移を図解している。
【００８０】
通常の放送番組の受信中には、画面には受信した放送番組の動画のみが表示される「Ｏｎｌｙ  Ｖｉｄｅｏ」状態である。ユーザーは、例えばリモコンのチャンネル・ボタンや＋／−キーを操作することで、表示する放送番組が切り替わる。また、この状態では、受信信号にＡＩＴが含まれていないかどうかを検出する。ＡＩＴは、データ放送アプリケーションの動作を制御するために記述された制御情報である。
【００８１】
ＡＩＴを検出すると、ハイブリッド端末１０３で受信したＡＩＴを処理した後、ＡＩＴから得られたデータ放送アプリケーションの情報を表示する（ｄｉｓｐｌａｙ  ａｐｐ  ｉｎｆｏ  ｆｒｏｍ  ＡＩＴ）。そして、勧誘アイコン（ｉｎｖｉｔｅ  ｉｃｏｎ）を表示する放送番組の動画画面の状態「Ｖｉｄｅｏ，  ｄｉｓｐｌａｙｉｎｇ  ｉｎｖｉｔｅ  ｉｃｏｎ」に遷移する。
【００８２】
ここで、ユーザーがデータ放送アプリケーションのダウンロードの開始を指示すると、アプリケーションのダウンロード実行をしながら放送番組を表示する画面状態「Ｖｉｄｅｏ，ａｐｐ  ｄｏｗｎｌｏａｄｉｎｇ」に遷移する。他方、ユーザーがデータ放送アプリケーションのダウンロードをキャンセルしたときには、受信した放送番組の動画のみが表示される「Ｏｎｌｙ  Ｖｉｄｅｏ」状態に遷移する。そして、リモコンのチャンネル・ボタンや＋／−キーを操作すると、元のチャンネルの表示画面に復帰する。
【００８３】
アプリケーションのダウンロード実行をしながら放送番組を表示する画面状態「Ｖｉｄｅｏ，ａｐｐ  ｄｏｗｎｌｏａｄｉｎｇ」では、ＡＩＴの記述に従ってデータ放送アプリケーションのダウンロードを行なう。例えば、ＡＩＴでＤＳＭ−ＣＣ（Ｄｉｇｉｔａｌ  Ｓｔｏｒａｇｅ  Ｍｅｄｉａ−Ｃｏｍｍａｎｄ  ａｎｄ  Ｃｏｎｔｒｏｌ）が示されていれば、ハイブリッド端末１０３は、放送信号からデータ放送アプリケーションをダウンロードする（Ｖｉｄｅｏ，ｄｏｗｎｌｏａｄｉｎｇ  ｆｒｏｍ  ｂｒｏａｄｃａｓｔ）。また、ＡＩＴでＨＴＴＰ（Ｈｙｐｅｒ  Ｔｅｘｔ  Ｔｒａｎｓｆｅｒ  Ｐｒｏｔｏｃｏｌ）が示されていれば、ハイブリッド端末１０３は、インターネット１０４などの通信ネットワーク経由でデータ放送アプリケーションをダウンロードする（Ｖｉｄｅｏ，ｄｏｗｎｌｏａｄｉｎｇ  ｆｒｏｍ  ｂｒｏａｄｂａｎｄ）。
【００８４】
そして、データ放送アプリケーションのダウンロードが終了すると、ハイブリッド端末１０３は、データ放送アプリケーションの起動状態「Ｖｉｄｅｏ，ｒｕｎｎｉｎｇ  ａｐｐ  ｓｅｒｖｉｃｅ」に遷移する。
【００８５】
また、データ放送アプリケーションのダウンロード中に、ユーザーからの指示などによりダウンロードをキャンセルしたときには、受信した放送番組の動画のみが表示される「Ｏｎｌｙ  Ｖｉｄｅｏ」状態に遷移する。そして、リモコンのチャンネル・ボタンや＋／−キーを操作すると、元のチャンネルの表示画面に復帰する。
【００８６】
また、データ放送アプリケーションの起動状態「Ｖｉｄｅｏ，ｒｕｎｎｉｎｇ  ａｐｐ  ｓｅｒｖｉｃｅ」で、ユーザーからの指示などによりアプリケーションを終了すると（ｃｌｏｓｅ  ａｐｐ）、受信した放送番組の動画のみが表示される「Ｏｎｌｙ  Ｖｉｄｅｏ」状態に遷移する。そして、リモコンのチャンネル・ボタンや＋／−キーを操作すると、元のチャンネルの表示画面に復帰する。
【００８７】
図１６には、データ放送アプリケーションの起動状態「Ｖｉｄｅｏ，ｒｕｎｎｉｎｇ  ａｐｐ  ｓｅｒｖｉｃｅ」における画面遷移をより詳細に示している。同図中央が、データ放送アプリケーションのダウンロードを終了した直後の、初期の画面状態「Ｖｉｄｅｏ，ｄｉｓｐｌａｙｉｎｇ  ａｐｐ」であり、データ放送アプリケーションのユーザー・インターフェース（Ａｐｐ  ＵＩ）として、図１０に示したようなモザイク形式のメニュー領域が画面に表示される。
【００８８】
モザイク形式のメニュー領域は、このメニュー領域と同じサイズのグリッド内でセルを選択する操作により、メニューを選択して、所望のコンテンツのストリーミングを要求することができる（図１２を参照のこと）。
【００８９】
モザイク形式のメニュー領域を介して動画ストリーミングが要求されると（ＩＰ  Ｖｉｄｅｏ  ｓｔｒｅａｍｉｎｇ  ｒｅｑｕｅｓｔｅｄ）、図４に示したような、動画プレーン＃１の放送番組の動画ｃｂと動画プレーン＃２のストリーミング動画ｃａを重畳した合成動画プレーンＣＶＰを表示する画面状態「Ｖｉｄｅｏ，ｄｉｓｐｌａｙｉｎｇ  ＩＰ  ｓｔｒｅａｍｉｎｇ」に遷移する。ここで、データ放送アプリケーションのユーザー・インターフェースの表示が指示されると（Ｓｈｏｗ  Ａｐｐ  ＵＩ）、さらにモザイク形式のメニュー領域が表示された画面状態「Ｖｉｄｅｏ，ｄｉｓｐｌａｙｉｎｇ  ＩＰ  ｓｔｒｅａｍｉｎｇ＋ａｐｐ」に遷移する。そして、ユーザー・インターフェースの非表示が指示されると（ｈｉｄｅ  Ａｐｐ  ＵＩ）、モザイク形式のメニュー領域が隠れ、上記の画面状態「Ｖｉｄｅｏ，ｄｉｓｐｌａｙｉｎｇ  ＩＰ  ｓｔｒｅａｍｉｎｇ」に復帰する。また、モザイク形式のメニュー領域を介して動画ストリーミングの終了が指示されると（ｃｌｏｓｅ  ＩＰ  ｓｔｒｅａｍｉｎｇ）、初期の画面状態「Ｖｉｄｅｏ  ｄｉｓｐｌａｙｉｎｇ  ａｐｐ」に復帰する。
【００９０】
モザイク形式のメニュー領域を介して音楽ストリーミングが要求されると（ＩＰ  ａｕｄｉｏ  ｓｔｒｅａｍｉｎｇ  ｒｅｑｕｅｓｔｅｄ）、動画プレーン＃１の放送番組の動画ｃｂの表示と音楽ストリーミングを同時に行なう画面状態「Ｖｉｄｅｏ，ＩＰ  ａｕｄｉｏ  ｓｔｒｅａｍｉｎｇ」に遷移する。ここで、データ放送アプリケーションのユーザー・インターフェースの表示が指示されると（Ｓｈｏｗ  Ａｐｐ  ＵＩ）、さらにモザイク形式のメニュー領域が表示された画面状態「Ｖｉｄｅｏ，ＩＰ  Ａ．ｓｔｒｅａｍｉｎｇ＋ａｐｐ」に遷移する。そして、ユーザー・インターフェースの非表示が指示されると（ｈｉｄｅ  Ａｐｐ  ＵＩ）、モザイク形式のメニュー領域が隠れ、上記の画面状態「Ｖｉｄｅｏ，ＩＰ  ａｕｄｉｏ  ｓｔｒｅａｍｉｎｇ」に復帰する。また、モザイク形式のメニュー領域を介して音楽ストリーミングの終了が指示されると（ｃｌｏｓｅ  ＩＰ  ａｕｄｉｏ）、初期の画面状態「Ｖｉｄｅｏ，ｄｉｓｐｌａｙｉｎｇ  ａｐｐ」に復帰する。
【００９１】
モザイク形式のメニュー領域を介して３次元信号の動画ストリーミングが要求されると（ＩＰ  ３Ｄ  ＳｂＳ  ｖｉｄｅｏ  ｓｔｒｅａｍｉｎｇ  ｒｅｑｕｅｓｔｅｄ）、図８に示したような、動画プレーン＃２の３次元ストリーミング動画ｃａを重畳した合成動画プレーンを表示する状態「Ｄｉｓｐｌａｙｉｎｇ  ＩＰ  ３Ｄ  ｓｔｒｅａｍｉｎｇ」に遷移する。本実施形態に係るハイブリッド端末１０３は、ハードウェア上の制約から、３次元動画を表示するときには他の動画プレーンの表示を停止するようになっている（前述）。
【００９２】
合成動画プレーンＣＶＰを表示する画面状態「Ｖｉｄｅｏ，ｄｉｓｐｌａｙｉｎｇ  ＩＰ  ｓｔｒｅａｍｉｎｇ」で動画ストリーミングの終了が指示されたとき（ｃｌｏｓｅ  ＩＰ  ｓｔｒｅａｍｉｎｇ）、動画プレーン＃１の放送番組の動画ｃｂの表示と音楽ストリーミングを同時に行なう画面状態「Ｖｉｄｅｏ，ＩＰ  ａｕｄｉｏ  ｓｔｒｅａｍｉｎｇ」で音楽ストリーミングの終了が指示されたとき（ｃｌｏｓｅ  ＩＰ  ａｕｄｉｏ  ｓｔｒｅａｍｉｎｇ）、並びに、３次元ストリーミング動画を表示する画面状態「Ｄｉｓｐｌａｙｉｎｇ  ＩＰ  ３Ｄ  ｓｔｒｅａｍｉｎｇ」で３次元動画ストリーミングの終了が指示されたときには（ｃｌｏｓｅ  ＩＰ  ３Ｄ  ｖｉｄｅｏ）、アプリケーションのユーザー・インターフェース（モザイク形式のメニュー領域）が隠れた画面状態「Ｏｎｌｙ  Ｖｉｄｅｏ，ａｐｐ  ｈｉｄｅｎ」に遷移する。ここで、データ放送アプリケーションのユーザー・インターフェースの表示が指示されると（Ｓｈｏｗ  Ａｐｐ  ＵＩ）、初期の画面状態「Ｖｉｄｅｏ，ｄｉｓｐｌａｙｉｎｇ  ａｐｐ」に復帰する。また、初期の画面状態「Ｖｉｄｅｏ，ｄｉｓｐｌａｙｉｎｇ  ａｐｐ」でユーザー・インターフェースの非表示が指示されると（ｈｉｄｅ  Ａｐｐ  ＵＩ）、画面状態「Ｏｎｌｙ  Ｖｉｄｅｏ，ａｐｐ  ｈｉｄｅｎ」に遷移する。
【００９３】
図１７には、プロセッサー２１１が処理を実行することにより実現される各機能ブロックを示している。例えばＪａｖａ（登録商標）技術が適用される場合には、各機能ブロックはクラス・ファイルに相当する。以下では、図１５並びに図１６に示した画面制御に関連のある機能を中心に、各機能ブロックで行なわれる処理について説明する。
【００９４】
Ｐｒｏｃｅｓｓ  ＴＳは、放送事業者（Ｂｒｏａｄｃａｓｔｅｒ）から配信されるＭＰＥＧ２トランスポート・ストリームの受信処理を行なう。Ｐｒｏｃｅｓｓ  ＴＳは、チャンネル選局が行なわれる度にトランスポート・ストリームの受信処理を行なう。また、Ｐｒｏｃｅｓｓ  ＴＳは、トランスポート・ストリームから分離されたデータ放送用データから、ＡＩＴの検出処理を行なう。
【００９５】
Ｄｅｃｏｄｅ  Ａ／Ｖは、トランスポート・ストリームから分離されたＡＶデータを、デコーダー２０４を用いて復号処理する。
【００９６】
Ｄｅｃｏｄｅ  ＡＩＴは、Ｐｒｏｃｅｓｓ  ＴＳによって検出されたＡＩＴのデコード処理を行なう。Ｄｏｗｎｌｏａｄ  Ａｐｐは、データ放送アプリケーションのダウンロードが指示されたときに、デコードされたＡＩＴの記述に従ってダウンロード処理を行なう。ＡＩＴでＤＳＭ−ＣＣが示されていれば、Ｄｏｗｎｌｏａｄ  Ａｐｐは、放送信号からデータ放送アプリケーションをダウンロードする。また、ＡＩＴでＨＴＴＰが示されていれば、Ｄｏｗｎｌｏａｄ  Ａｐｐは、アプリケーション・サーバーからインターネット１０４経由でデータ放送アプリケーションをダウンロードする。
【００９７】
Ｄｏｗｎｌｏａｄ  Ａｐｐがデータ放送アプリケーションのダウンロードを完了すると、Ｒｕｎ  Ａｐｐは、このデータ放送アプリケーションを実行する。この結果、ハイブリッド端末１０３は、データ放送アプリケーションの起動状態「Ｖｉｄｅｏ，ｒｕｎｎｉｎｇ  ａｐｐ  ｓｅｒｖｉｃｅ」（前述、並びに図１５を参照のこと）に遷移する。
【００９８】
Ｄｉｓｐｌａｙ  Ａｐｐは、モザイク形式のメニュー領域などの、データ放送アプリケーションのユーザー・インターフェースの表示／非表示を行なう。例えば、画面状態「Ｖｉｄｅｏ，ｄｉｓｐｌａｙｉｎｇ  ＩＰ  ｓｔｒｅａｍｉｎｇ」、「Ｖｉｄｅｏ，ＩＰ  ａｕｄｉｏ  ｓｔｒｅａｍｉｎｇ」、「Ｏｎｌｙ  Ｖｉｄｅｏ，ａｐｐ  ｈｉｄｅｎ」で、Ｄｉｓｐｌａｙ  Ａｐｐは、ユーザー・インターフェースの表示（ｓｈｏｗ  Ａｐｐ  ＵＩ）並びに非表示（ｈｉｄｅ  Ａｐｐ  ＵＩ）を行なう。
【００９９】
Ｓｅｌｅｃｔ  Ｖｉｄｅｏは、初期の画面状態「Ｖｉｄｅｏ，ｄｉｓｐｌａｙｉｎｇ  ａｐｐ」（図１６を参照のこと）で、ユーザー・インターフェースに対するユーザーの操作に従って、動画を選択する処理を行なう。Ｒｅｑｕｅｓｔ  Ａ／Ｖ  Ｓｔｒｅａｍｉｎｇは、Ｓｅｌｅｃｔ  Ｖｉｄｅｏによって選択された動画のストリーミングを該当するコンテンツ・サーバー（Ｍｅｄｉａ  Ｓｅｒｖｅｒ）に要求する。Ｂｕｆｆｅｒ  Ａ／Ｖ  Ｓｔｒｅａｍｉｎｇは、Ｒｅｑｕｅｓｔ  Ａ／Ｖ  Ｓｔｒｅａｍｉｎｇが受信する動画ストリームをバッファリングする。Ｄｅｃｏｄｅ  Ａ／Ｖ  Ｓｔｒｅａｍｉｎｇは、バッファーされた動画ストリームを、ブロードバンド・デコーダー２０６を用いてデコードする。
【０１００】
Ｅｎａｂｌｅ  ＰｉＰ  ｐｒｅｓｅｎｔａｔｉｏｎは、図４などに示した、動画内に動画を表示するピクチャー・イン・ピクチャー画像の生成処理を可能にする。また、Ｃｈｏｏｓｅ  ｔｈｅ  ＰｉＰ  ｏｒｄｅｒは、ユーザーからの指示などに従って、ピクチャー・イン・ピクチャー画像内の画像の配置順序を選択する。例えば、図１４に示したように、動画プレーン＃１と動画プレーン＃２の配置順序の入れ替えを行なう。そして、Ｄｉｓｐｌａｙ  ＰｉＰは、受信放送の動画とダウンロードしたストリーム動画のピクチャー・イン・ピクチャー画像表示を行なう。
【０１０１】
但し、Ｓｅｌｅｃｔ  Ｖｉｄｅｏで選択された動画ストリームが３次元信号の場合には、Ｄｉｓｐｌａｙ  ３Ｄが３次元動画ストリームの表示を行なうとともに、Ｓｔｏｐ  Ｂｒｏａｄｃａｓｔ  ｖｉｄｅｏが受信ストリームの表示を停止する。また、受信放送の動画ストリームが３次元信号の場合には、ダウンロードした動画ストリームの表示を停止する。一方の動画ストリームが３次元信号のときにピクチャー・イン・ピクチャー画像表示しないのは、ハイブリッド端末１０３のハードウェア上の制約に依拠する（同上）。
【０１０２】
Ｃｈｏｏｓｅ  ｔｈｅ  ａｕｄｉｏ  ｓｏｕｒｃｅは、音楽ソースの選択を行なう。例えば、モザイク形式のメニュー領域を介して音楽ストリーミングが要求されたときには、要求された音楽ストリームを音楽ソースに選択して音響出力する。また、放送番組の動画ｃｂの表示と音楽ストリーミングを行なう画面状態「Ｖｉｄｅｏ，ＩＰ  ａｕｄｉｏ  ｓｔｒｅａｍｉｎｇ」で、音楽ストリーミングの終了が指示されると（ｃｌｏｓｅ  ＩＰ  ａｕｄｉｏ）、放送番組を音楽ソースに選択して音響出力する。
【０１０３】
なお、有料の動画サイト（Ｓｔｏｒｅｆｒｏｎｔ）から動画ストリームを購入するときには、Ｃｈｅｃｋ  ａｕｔｈｏｒｉｚａｔｉｏｎがＳｔｏｒｅｆｒｏｎｔに対して認証処理を行なう。そして、Ｒｅｑｕｅｓｔ  ｃｏｎｔｅｎｔ  ｌｉｓｔがＳｔｏｒｅｆｒｏｎｔに対して、利用可能なコンテンツのリストを要求し、Ｄｉｓｐｌａｙ  Ｖｉｄｅｏ  Ｌｉｓｔがリストを表示する。
【０１０４】
なお、本明細書の開示の技術は、以下のような構成をとることも可能である。
（１）放送信号を受信する放送受信部と、ネットワーク経由で情報を送受信するネットワーク通信部と、前記放送受信部で受信した情報をコピーする第１のプレーン及び前記ネットワーク通信部で受信した情報をコピーする第２のプレーンを含むビデオ・メモリーと、前記ビデオ・メモリー内の情報を表示する表示部と、
前記ビデオ・メモリー内の各プレーンにコピーされた情報の前記表示部への表示出力を制御する制御部を具備し、前記制御部は、前記放送受信部又は前記ネットワーク通信部で受信したデータ放送アプリケーションを実行して、前記ビデオ・メモリー内の前記第１のプレーン及び第２のプレーンを含む複数のプレーンを合成処理して前記表示部に表示させる、受信装置。
（２）前記ビデオ・メモリー内では、後方から前方に向かって前記第１のプレーン、前記第２のプレーンの順序で配置され、さらに前記第２のプレーンの前方に他の複数のプレーンが所定の順序で配置されており、前記制御部は、前記データ放送アプリケーションを実行して実現する処理として、前記の配置された順序に従って各プレーンの合成処理を行なう、上記（１）に記載の受信装置。
（３）前記制御部は、前記データ放送アプリケーションを実行して実現する処理として、前記放送受信部で受信した放送コンテンツを前記第１のプレーンにコピーするとともに、前記ネットワーク通信部で受信したネットワーク・コンテンツを前記放送コンテンツと同時再生することを指示するためのユーザー・インターフェースを前記第２のプレーンにコピーし、前記第１のプレーンと前記第２のプレーンを合成して、前記放送コンテンツに前記ユーザー・インターフェースを重畳したプレーンを生成する、上記（２）に記載の受信装置。
（４）前記放送コンテンツと同時再生するネットワーク・コンテンツはストリーミング動画であり、前記ユーザー・インターフェースは、同時再生することが可能な複数のストリーミング動画の各々の動画サムネイルからなる選択ボタンを配置したメニューである、上記（３）に記載の受信装置。
（５）前記放送コンテンツと同時再生することが可能なネットワーク・コンテンツは、前記データ放送アプリケーションで所在場所が指定されており、前記ユーザー・インターフェースは、同時再生することが可能な各ネットワークの所在場所へのリンクを含んだ選択ボタンを配置したメニューであり、前記制御部は、いずれかの選択ボタンが選択されたことに応答して、選択ボタンに含まれるリンクに従って前記ネットワーク通信部で受信するネットワーク・コンテンツを前記第２のプレーンにコピーし、前記第１のプレーンと前記第２のプレーンを合成して、前記放送コンテンツと前記ネットワーク・コンテンツを同時再生させる、上記（３）に記載の受信装置。
（６）コンピューターがデータ放送アプリケーションを実行して具現化される第１のコピー手段が、放送信号として受信した情報をビデオ・メモリー内の第１のプレーンにコピーする第１のコピー・ステップと、前記コンピューターが前記データ放送アプリケーションを実行して具現化される第２のコピー手段が、ネットワーク経由で受信した情報を前記ビデオ・メモリー内の第２のプレーンにコピーする第２のコピー・ステップと、前記コンピューターが前記データ放送アプリケーションを実行して具現化される合成手段が、前記ビデオ・メモリー内の前記第１のプレーン及び第２のプレーンを含む複数のプレーンを合成処理する合成ステップと、前記コンピューターが前記データ放送アプリケーションを実行して具現化される表示手段が、前記合成ステップで生成された合成プレーンを表示出力する出力ステップと、を有する表示制御方法。
（７）放送コンテンツとデータ放送の組み合わせからなるデータ放送サービスを提供する放送局と、ネットワーク・コンテンツを提供するサーバーと、放送局から配信される放送信号を受信するとともに、ネットワーク経由で情報を送受信するハイブリッド端末からなり、前記ハイブリッド端末は、放送信号として受信した情報をコピーする第１のプレーン及び前記サーバーから受信した情報をコピーする第２のプレーンを含むビデオ・メモリーと、前記ビデオ・メモリー内の情報を表示する表示部を備え、前記放送局又は前記サーバーから受信したデータ放送アプリケーションを実行して、前記ビデオ・メモリー内の前記第１のプレーン及び第２のプレーンを含む複数のプレーンを合成処理して前記表示部に表示させる、放送システム。
（８）放送信号として受信した情報をビデオ・メモリー内の第１のプレーンにコピーする第１のコピー手段、ネットワーク経由で受信した情報を前記ビデオ・メモリー内の第２のプレーンにコピーする第２のコピー手段、前記ビデオ・メモリー内の前記第１のプレーン及び第２のプレーンを含む複数のプレーンを合成処理する合成手段、前記合成手段により生成された合成プレーンを表示出力する出力手段、としてコンピューターを機能させるようにコンピューター可読形式で記述されたコンピューター・プログラム。
【産業上の利用可能性】
【０１０５】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【０１０６】
本明細書で開示する技術は、例えばＪａｖａ（登録商標）技術を適用して実現することができるが、本明細書で開示する技術の要旨はこれに限定されるものではない。また、放送信号として配信されるＡＶコンテンツ、ネットワーク経由で伝送されるＡＶコンテンツ、データ放送用データなどは特定のファイル形式に限定されない。
【０１０７】
要するに、本明細書で開示する技術を例示という形態で開示してきたのであり、本明細書の記載内容を限定的に解釈するべきではない。本明細書で開示する技術の要旨を判断するためには、特許請求の範囲を参酌すべきである。
【符号の説明】
【０１０８】
１００…ハイブリッド放送システム
１０１…放送衛星
１０２…放送局
１０３…受信端末（ハイブリッド端末）
１０４…インターネット（ブロードバンド・ネットワーク）
１０５…サーバー
２０１…チューナー
２０２…復調器
２０３…デマルチプレクサー
２０４…ブロードキャスト・デコーダー
２０５…データ通信部
２０６…ブロードバンド・デコーダー
２１０…ＡＶ出力制御部
２１１…プロセッサー
２１２…システム・メモリー
２１３…ビデオ・メモリー
【図１】
0006307182.tif 000005
【図２】
0006307182.tif 000006
【図３】
0006307182.tif 000007
【図４】
0006307182.tif 000008
【図５】
0006307182.tif 000009
【図６】
0006307182.tif 000010
【図７】
0006307182.tif 000011
【図８】
0006307182.tif 000012
【図９】
0006307182.tif 000013
【図１０Ａ】
0006307182.tif 000014
【図１０Ｂ】
0006307182.tif 000015
【図１０Ｃ】
0006307182.tif 000016
【図１１】
0006307182.tif 000017
【図１２】
0006307182.tif 000018
【図１３Ａ】
0006307182.tif 000019
【図１３Ｂ】
0006307182.tif 000020
【図１４】
0006307182.tif 000021
【図１５】
0006307182.tif 000022
【図１６】
0006307182.tif 000023
【図１７】
0006307182.tif 000024